(57)【特許請求の範囲】
【請求項１】
基材に電熱ヒータを埋設すると共に電熱ヒータの上からアルミニウム箔のような金属シートの均熱層を積層した床暖房マットにおいて、均熱層の上に絶縁層を積層し、均熱層の端縁を基材に食い込ませるように下方に折り曲げて、均熱層の外周の端縁が露出しないように隠蔽して成ることを特徴とする床暖房マット。
【請求項２】
基材に電熱ヒータを埋設すると共に電熱ヒータの上からアルミニウム箔のような金属シートの均熱層を積層した床暖房マットにおいて、均熱層の上に絶縁層を積層して複合シートを形成し、この複合シートを絶縁層側を上にすると共にその端縁を下方に折り返した折り返し部を形成してから基材上に積層し、均熱層の外周の端縁が露出しないように隠蔽して成ることを特徴とする床暖房マット。
【請求項３】
基材に電熱ヒータを埋設すると共に電熱ヒータの上からアルミニウム箔のような金属シートの均熱層を積層した床暖房マットにおいて、均熱層の上に絶縁層を積層し、均熱層の端縁を基材の端縁から控え、絶縁層の端縁を基材の端縁に重なるようにして、均熱層の上から均熱層の端縁を被覆するよう絶縁層を積層し、均熱層の外周の端縁が露出しないように隠蔽して成ることを特徴とする床暖房マット。
【発明の詳細な説明】
【０００１】
【発明の属する技術分野】
本発明は、表面に木質床材等の表面材を貼った床暖房装置を施工するときに用いる床暖房マットの構造に関するものである。
【０００２】
【従来の技術】
従来から床暖房装置を施工する場合、図６に示すような床暖房マット１と木質床材のような表面材２とを主に用いて施工されるようになっている。床暖房マット１は基材３の上に電熱ヒータ４を埋設し、電熱ヒータ４の上にアルミニウム箔のような金属シートの均熱層５を積層して形成されている。床暖房マット１の適所には凹部６を設けてあり、凹部６にはコネクター７を配置してある。
【０００３】
そして図７（ａ）（ｂ）（ｃ）の手順で床暖房装置が施工されるようになっている。まず、図７（ａ）に示すように床スラブのような床下地８の上に複数枚の床暖房マット１を並べて敷設し、必要に応じて床暖房を必要としない部分に周辺マット９を敷設し、次いでコントローラに接続したケーブル１０とコネクター７とを接続し、凹部６の上面の開口をアルミニウム板のような金属板の保護板１１で閉塞し、次いで図７（ｃ）に示すように床暖房マット１や周辺マット９の上に木質床材のような表面材２を貼っている。
【０００４】
【発明が解決しようとする課題】
上記のように床暖房装置が施工されるが、床暖房マット１の上面の全面に金属シートよりなる均熱層５が上面に露出するために電気用品上、アース機構を設けなければならなく、構造が複雑になると共に施工に手間がかかるという問題がある。
【０００５】
この問題を解決するために図８に示すように金属シートの均熱層５の上にポリエチレンシートのような樹脂シートの絶縁層１２をラミネートした複合シートＡを基材１の上に貼って床暖房マット１を形成することが考えられる。このようにすると、均熱層５の上面が絶縁層１２にて被覆されて絶縁されるが、均熱層５の端縁の端面が露出して依然としてアース機構を設ける必要がある。
【０００６】
本発明は叙述の点に鑑みてなされたものであって、アース機構を設ける必要がなくなって床暖房装置の構造を簡単にできると共に施工を容易にできる床暖房マットを提供することを課題とする。
【０００７】
【課題を解決するための手段】
上記課題を解決するため本発明の請求項１記載の床暖房マット１は、基材３に電熱ヒータ４を埋設すると共に電熱ヒータ４の上からアルミニウム箔のような金属シートの均熱層５を積層した床暖房マットにおいて、均熱層５の上に絶縁層１２を積層し、均熱層５の端縁を基材３に食い込ませるように下方に折り曲げて、均熱層５の外周の端縁が露出しないようにするために隠蔽して成ることを特徴とする。
また、請求項２記載の床暖房マット１は、基材３に電熱ヒータ４を埋設すると共に電熱ヒータ４の上からアルミニウム箔のような金属シートの均熱層５を積層した床暖房マットにおいて、均熱層５の上に絶縁層１２を積層して複合シートＡを形成し、この複合シートＡを絶縁層１２側を上にすると共にその端縁を下方に折り返した折り返し部１６を形成してから基材３上に積層し、均熱層５の外周の端縁が露出しないように隠蔽して成ることを特徴とする。
また、請求項３記載の床暖房マット１は、基材３に電熱ヒータ４を埋設すると共に電熱ヒータ４の上からアルミニウム箔のような金属シートの均熱層５を積層した床暖房マットにおいて、均熱層５の上に絶縁層１２を積層し、均熱層５の端縁を基材３の端縁から控え、絶縁層１２の端縁を基材３の端縁に重なるようにして、均熱層５の上から均熱層５の端縁を被覆するよう絶縁層１２を積層し、均熱層５の外周の端縁が露出しないように隠蔽して成ることを特徴とする。
均熱層５の上に絶縁層１２を積層すると共に均熱層５の外周の端縁が露出しないようにするために隠蔽したことにより、金属シートの均熱層５が一切露出しなくて電気用品上アース機構を設ける必要がなくなり、床暖房装置の構造を簡単にできると共に施工を容易にできる。
【０００９】
【発明の実施の形態】
本発明の床暖房マット１は、図１乃至図３に示すように基材３の上には電熱ヒータ４を埋設し、電熱ヒータ４の上にアルミニウム箔のような金属シートの均熱層５を積層し、均熱層５の上にポリエチレンシートのような樹脂シートの絶縁層１２を積層して形成されている。基材３は本例の場合、防音性のあるものであり、例えば、麻、綿、パーム、合成繊維、バインダーなどからなる繊維マットで形成されている。また基材３は上層３ａと下層３ｂとで構成されており、上層３ａが硬く、下層３ｂが上層３ａに対して軟らかくてクッション性を持たせてある。上層３ａを下層３ｂに対して硬くするには上記繊維ボードの場合、上層３ａのパーム量を多くし、下層３ｂのパーム量を少なくしてある。また電熱ヒータ４としてはコードヒータ４ａと面状ヒータ４ｂとがあるが、コードヒータ４ａの場合、図４に示すように基材３の上層３ａに複数条の凹溝１４を穿設し、凹溝１４内にコードヒータ４ａを収めるように埋設してある。面状ヒータ４ｂの場合、基材２の上層３ａに凹所１５を凹設し、凹所１５に面状ヒータ４ｂを収めるように埋設してある。
【００１０】
電熱ヒータ４の上から基材３の上に均熱層５や絶縁層１２を積層するとき図１の例の場合、均熱層５と絶縁層１２とを複合した複合シートＡを装着してある。複合シートＡを装着するとき均熱層５と絶縁層１２の端縁が下方に折り返されるように折り返し部１６を形成してから積層してある。このようにすると均熱層５の上面のみならず、端縁まで隠蔽されて従来と同様に床暖房装置を施工したときにアース機構を設ける必要がなくなる。また上記のように折り返し部１６を形成してから積層するだけで均熱層５の端縁を隠蔽できるために容易に均熱層５の端縁を隠蔽できる。
【００１１】
図２の例の場合、電熱ヒータ４の上から基材３の上に均熱層５と絶縁層１２を積層するとき、均熱層５の端縁を基材３の端縁から控え、均熱層５の上から均熱層５の端縁にも被さるように絶縁層１２を被覆してある。この場合も、均熱層５の端縁を容易に隠蔽できる。また図３の例の場合、均熱層５と絶縁層１２とを複合した複合シートＡを装着するとき、均熱層５と絶縁層１２とが基材３に食い込むように装着している。図３の１７は食い込み部である。
【００１２】
【発明の効果】
本発明は叙述の如く均熱層の上に絶縁層を積層すると共に均熱層の外周の端縁が露出しないようにするために隠蔽しているので、金属シートの均熱層が一切露出しなくて電気用品上アース機構を設ける必要がなくなり、床暖房装置の構造を簡単にできると共に施工を容易にできるものである。
【図面の簡単な説明】
【図１】本発明の実施の形態の一例を示し、（ａ）は床暖房マットの要部の断面図、（ｂ）は均熱層と絶縁層との複合シートの断面図である。
【図２】同上の他例を示し、（ａ）は床暖房マットの要部の断面図、（ｂ）は均熱層と絶縁層の断面図である。
【図３】同上の他例を示し、（ａ）は床暖房マットの要部の断面図、（ｂ）は均熱層と絶縁層の断面図である。
【図４】同上の電熱ヒータがコードヒータの場合も断面図である。
【図５】同上の電熱ヒータが面状ヒータの場合の断面図である。
【図６】従来の床暖房マットと表面材の斜視図である。
【図７】（ａ）（ｂ）（ｃ）は従来の施工状態を説明する斜視図である。
【図８】本発明に至る前の過程の床暖房マットの断面図である。
【符号の説明】
１  床暖房マット
３  基材
４  電熱ヒータ
５  均熱層
１２  絶縁層
【図１】
0004135285.tif 000002
【図２】
0004135285.tif 000003
【図３】
0004135285.tif 000004
【図４】
0004135285.tif 000005
【図５】
0004135285.tif 000006
【図６】
0004135285.tif 000007
【図７】
0004135285.tif 000008
【図８】
0004135285.tif 000009